(57)【要約】      （修正有）【課題】短時間で組立分解が可能で、上置き台同士の固定強度を確保しつつ段数変更にも容易に対応でき、コンパクトに運搬片付けが可能な多段式木製陳列棚及びそのための上置き台を提供する。【解決手段】上置き台２１は、トレイ棚２２と脚部ユニット２３とを有し、多段状に積み重ねられて多段式木製陳列棚１１を構成する。トレイ棚２２は側壁３１と底板３２とにより箱型に形成される。脚部ユニット２３は、左右一対の枠状脚部材４１と、それらを補強する補強材４２と、それらを折畳可能な状態で連結する丁番４３とを含む。脚部ユニット２３の上面にトレイ棚２２の底板３２の下面が載置され、締結部材同士の締結によって取り外し可能に固定される。脚部ユニット２３の下端部及びトレイ棚２２の側壁３１に、上下の上置き台２１の相互連結用のダボ６３の差し込みが可能なダボ穴６２が形成される。【選択図】図１
0003235602.tif 000002
【実用新案登録請求の範囲】
【請求項１】
木製のトレイ棚を木製の脚部ユニットで下方から支持した構造の木製の上置き台を構成要素とし、前記上置き台を木製平台の上または別の前記上置き台の上に１段以上積み重ねて配置した多段式木製陳列棚であって、
前記トレイ棚は、矩形枠状の側壁と底板とにより箱型に形成され、
前記脚部ユニットは、前脚及び後脚を有する左右一対の枠状脚部材と、前記左右一対の枠状脚部材に当接しかつ介在してそれらを補強する補強材と、前記枠状脚部材と前記補強材とを折畳可能な状態で連結する丁番とを含んで構成され、
前記脚部ユニットの上面に前記トレイ棚の前記底板の下面を載置した状態で、第１固定部材によって前記脚部ユニットの上端部と前記トレイ棚の前記側壁とが取り外し可能に固定され、
前記脚部ユニットの下面を別の前記上置き台における前記トレイ棚の前記底板の上面に載置した状態で、第２固定部材によって前記脚部ユニットの下端部と前記トレイ棚の前記側壁とが取り外し可能に固定されている
ことを特徴とする多段式木製陳列棚。
【請求項２】
前記脚部ユニットの上端部と前記トレイ棚の前記側壁とが、前記第１固定部材としての締結部材同士の締結によって取り外し可能に固定され、
前記脚部ユニットの下端部と前記トレイ棚の前記側壁とが、前記第２固定部材としてのダボの差し込みによって取り外し可能に固定されている
ことを特徴とする請求項１に記載の多段式木製陳列棚。
【請求項３】
前記脚部ユニットにおける前脚の上端部にナット部材が挿入され、前記トレイ棚の前記側壁において前記ナット部材に対応した位置にボルト孔が形成され、前記ボルト孔を介して挿通されたボルトが前記ナット部材に締結され、
前記脚部ユニットにおける前記後脚の下端部に脚部ユニット側ダボ穴が形成され、前記トレイ棚の前記側壁において前記脚部ユニット側ダボ穴に対応した位置にトレイ棚側ダボ穴が形成され、それらダボ穴に共通の前記ダボが差し込まれる
ことを特徴とする請求項２に記載の多段式木製陳列棚。
【請求項４】
木製のトレイ棚を木製の脚部ユニットで下方から支持した構造を有し、多段状に積み重ねて配置されることで多段式木製陳列棚を構成する上置き台であって、
前記トレイ棚は、矩形枠状の側壁と底板とにより箱型に形成され、
前記脚部ユニットは、前脚及び後脚を有する左右一対の枠状脚部材と、前記左右一対の枠状脚部材に当接しかつ介在してそれらを補強する補強材と、前記枠状脚部材と前記補強材とを折畳可能な状態で連結する丁番とを含んで構成され、
前記脚部ユニットの上面に前記トレイ棚の前記底板の下面を載置した状態で、前記脚部ユニットの上端部と前記トレイ棚の前記側壁とが締結部材同士の締結によって取り外し可能に固定され、
前記脚部ユニットの下端部及び前記トレイ棚の前記側壁に、上下に配置された前記上置き台の相互連結用のダボの差し込みが可能なダボ穴がそれぞれ形成されている
ことを特徴とする多段式木製陳列棚用の上置き台。
【請求項５】
請求項４に記載の上置き台を出荷する際の構造であって、
前記トレイ棚と、前記トレイ棚から取り外されて折り畳まれた状態の前記脚部ユニットとが積層配置された状態で梱包されている
ことを特徴とする多段式木製陳列棚用の上置き台の出荷時構造。
【考案の詳細な説明】
【技術分野】
【０００１】
本考案は、店内において商品を陳列する際に用いる多段式の木製陳列棚、及びそれに用いる上置き台、並びにその出荷時構造に関するものである。
【背景技術】
【０００２】
近年、店内において野菜や果物などの商品を見栄え良く陳列するための手段として、木製陳列棚を用いることが増えつつある（例えば、特許文献１参照）。この種の木製陳列棚は、基本的に木製のパーツを組み付けることにより構成されており、商品は例えば平台の上面に載置された状態で陳列されるようになっている。
【０００３】
ところで、売り場空間の利用効率を考えると、例えば商品を棚に載せて多段状に配置して陳列したいことがある。この場合、ベースとなる平台の上部に支柱を立設して複数段のトレイ棚を固定した多段式の木製陳列棚を用い、それらトレイ棚の上に商品を載置して陳列することが従来よく行われている。また、この種の多段式の木製陳列棚は、一般的に完全に組み立てられた完成品の状態で、工場や店舗から客先に出荷されることが多い。
【先行技術文献】
【特許文献】
【０００４】
【特許文献１】実用新案登録第３２１９８７７号公報
【考案の概要】
【考案が解決しようとする課題】
【０００５】
ところが、上記従来技術の場合、トレイ棚の段数が増えるに従って木製陳列棚が大型化するため、嵩張って出荷時の搬送作業が煩雑になり、搬送のためのコストも高くついてしまう。また、完全に組み立てられた状態であると、トレイ棚の段数を増減するなどの変更を店舗において自由に行うことができない。さらに、店内でのレイアウト変更等を行うときに、木製陳列棚を分解して移設することが困難であるため、重くて大きい状態のまま移設をせざるを得ない。また、片付けておきたいときでも、そのための大きなスペースが必要になる。
【０００６】
そこで、平台の部分と多段状のトレイ棚の部分を一体ではなく別体として構成することが考えられる。より具体的にいうと、トレイ棚の部分について、例えばトレイ棚を脚部で支持した構造の木製の上置き台を複数個用意しておき、平台と各上置き台とを分離した状態で出荷し、客先でこれらを積み上げて完成品とすることが考えられる。
【０００７】
しかしながら、このような積み上げ配置方式を採用した場合、商品を安定的に陳列するために平台と上置き台との固定強度を高めておく必要がある。これに加えて、できるだけコンパクトにして出荷したり片付けたりすることができることも要求される。
【０００８】
本考案は上記の課題に鑑みてなされたものであり、その目的は、短時間で組立分解が可能であって、上置き台同士の固定強度を確保しつつ段数変更にも容易に対応でき、コンパクトにした状態で運搬や片付けを行うことができる多段式木製陳列棚、及びそのための上置き台を提供することにある。また、本考案の別の目的は、嵩張らずコンパクトにすることができる上置き台の出荷時構造を提供することである。
【課題を解決するための手段】
【０００９】
上記課題を解決するために、請求項１に記載の考案は、木製のトレイ棚を木製の脚部ユニットで下方から支持した構造の木製の上置き台を構成要素とし、前記上置き台を木製平台の上または別の前記上置き台の上に１段以上積み重ねて配置した多段式木製陳列棚であって、前記トレイ棚は、矩形枠状の側壁と底板とにより箱型に形成され、前記脚部ユニットは、前脚及び後脚を有する左右一対の枠状脚部材と、前記左右一対の枠状脚部材に当接しかつ介在してそれらを補強する補強材と、前記枠状脚部材と前記補強材とを折畳可能な状態で連結する丁番とを含んで構成され、前記脚部ユニットの上面に前記トレイ棚の前記底板の下面を載置した状態で、第１固定部材によって前記脚部ユニットの上端部と前記トレイ棚の前記側壁とが取り外し可能に固定され、前記脚部ユニットの下面を別の前記上置き台における前記トレイ棚の前記底板の上面に載置した状態で、第２固定部材によって前記脚部ユニットの下端部と前記トレイ棚の前記側壁とが取り外し可能に固定されていることを特徴とする多段式木製陳列棚をその要旨とする。
【００１０】
請求項１に記載の考案によると、上置き台を木製平台の上または別の上置き台の上に１段以上積み重ねて配置することができ、その積み重ねた上置き台同士を第２固定部材を用いて取り外し可能に固定することができる。このため、上置き台同士の固定強度を確保しつつ段数変更にも容易に対応できるとともに、短時間で組立分解を行うことが可能となる。また、１つの上置き台を構成するトレイ棚と脚部ユニットとは、第１固定部材による固定を解除することで取り外すことができ、しかもその取り外した脚部ユニットは折り畳むことができる。ゆえに、取り外し及び折り畳みが不能な上置き台に比べて確実にコンパクトにすることができ、その状態で運搬や片付けを行うことができる。
【００１１】
請求項２に記載の考案は、請求項１において、前記脚部ユニットの上端部と前記トレイ棚の前記側壁とが、前記第１固定部材としての締結部材同士の締結によって取り外し可能に固定され、前記脚部ユニットの下端部と前記トレイ棚の前記側壁とが、前記第２固定部材としてのダボの差し込みによって取り外し可能に固定されていることをその要旨とする。
【００１２】
請求項２に記載の考案によると、１つの上置き棚を構成する脚部ユニット及びトレイ棚は、締結部材を用いて脚部ユニットの上端部とトレイ棚の側壁とを締結することにより相互に固定される。その結果、脚部ユニットとトレイ棚との固定強度に優れた上置き棚とすることができる。また、上下に配置された上置き台同士は、脚部ユニットの下端部とトレイ棚の側壁とをダボの差し込みにより相互に固定される。その結果、上置き台同士の固定強度に優れ、積み上げ配置時における転倒防止対策が施された多段式木製陳列棚とすることができる。
【００１３】
請求項３に記載の考案は、請求項１または２において、前記脚部ユニットにおける前脚の上端部にナット部材が挿入され、前記トレイ棚の前記側壁において前記ナット部材に対応した位置にボルト孔が形成され、前記ボルト孔を介して挿通されたボルトが前記ナット部材に締結され、前記脚部ユニットにおける前記後脚の下端部に脚部ユニット側ダボ穴が形成され、前記トレイ棚の前記側壁において前記脚部ユニット側ダボ穴に対応した位置にトレイ棚側ダボ穴が形成され、それらダボ穴に共通の前記ダボが差し込まれることをその要旨とする。
【００１４】
請求項４に記載の考案は、木製のトレイ棚を木製の脚部ユニットで下方から支持した構造を有し、多段状に積み重ねて配置されることで多段式木製陳列棚を構成する上置き台であって、前記トレイ棚は、矩形枠状の側壁と底板とにより箱型に形成され、前記脚部ユニットは、前脚及び後脚を有する左右一対の枠状脚部材と、前記左右一対の枠状脚部材に当接しかつ介在してそれらを補強する補強材と、前記枠状脚部材と前記補強材とを折畳可能な状態で連結する丁番とを含んで構成され、前記脚部ユニットの上面に前記トレイ棚の前記底板の下面を載置した状態で、前記脚部ユニットの上端部と前記トレイ棚の前記側壁とが締結部材同士の締結によって取り外し可能に固定され、前記脚部ユニットの下端部及び前記トレイ棚の前記側壁に、上下に配置された前記上置き台の相互連結用のダボの差し込みが可能なダボ穴がそれぞれ形成されていることを特徴とする多段式木製陳列棚用の上置き台をその要旨とする。
【００１５】
請求項４に記載の考案によると、請求項１に記載の考案によると、上置き台を多段状に積み重ねて配置することができ、その積み重ねた上置き台同士を第２固定部材を用いて取り外し可能に固定することができる。このため、上置き台同士の固定強度を確保しつつ段数変更にも容易に対応できるとともに、短時間で組立分解を行うことが可能となる。また、１つの上置き台を構成するトレイ棚と脚部ユニットとは、第１固定部材による固定を解除することで取り外すことができ、しかもその取り外した脚部ユニットは折り畳むことができる。ゆえに、取り外し及び折り畳みが不能な上置き台に比べて確実にコンパクトにすることができ、その状態で運搬や片付けを行うことができる。よって、多段式木製陳列棚用の上置き台として好適なものとすることができる。
【００１６】
請求項５に記載の考案は、請求項４に記載の上置き台を出荷する際の構造であって、前記トレイ棚と、前記トレイ棚から取り外されて折り畳まれた状態の前記脚部ユニットとが積層配置された状態で梱包されていることを特徴とする多段式木製陳列棚用の上置き台の出荷時構造をその要旨とする。
【００１７】
請求項５に記載の考案によると、トレイ棚と折り畳まれて平坦になった脚部ユニットとを積層配置して梱包しているため、嵩張らずコンパクトにした状態で上置き台を出荷することができる。よって、出荷時における搬送のためのスペースやコストを低減することができる。
【考案の効果】
【００１８】
以上詳述したように、請求項１〜４に記載の考案によると、短時間で組立分解が可能であって、上置き台同士の固定強度を確保しつつ段数変更にも容易に対応でき、コンパクトにした状態で運搬や片付けを行うことができる多段式木製陳列棚、及びそのための上置き台を提供することができる。また、請求項５に記載の考案によると、嵩張らずコンパクトにすることができる上置き台の出荷時構造を提供することができる。
【図面の簡単な説明】
【００１９】
【図１】本発明を具体化した実施形態の多段式木製陳列棚の分解斜視図。
【図２】（ａ）は実施形態の多段式木製陳列棚の正面図、（ｂ）は同じくその側面図。
【図３】実施形態の多段式木製陳列棚の上置き台の出荷時の状態を示す概略図。
【図４】梱包容器から取り出された上置き台におけるトレイ棚板と、折り畳まれた状態の脚部ユニットとを示す概略図。
【図５】折り畳まれた状態の脚部ユニットの正面図。
【図６】折り畳まれた状態の脚部ユニットを開脚するときの様子を示す平面図。
【図７】（ａ）は開脚された脚部ユニットの上面にトレイ棚板を載せるときの様子を示す正面図、（ｂ）は同じくその側面図。
【図８】別の実施形態の多段式木製陳列棚において、上下配置された上置き台同士の固定方法を説明するための要部拡大断面図。
【図９】別の実施形態の多段式木製陳列棚において、上下配置された上置き台同士の固定方法を説明するための要部拡大断面図。
【図１０】別の実施形態の多段式木製陳列棚の正面図。
【考案を実施するための形態】
【００２０】
以下、本考案を具体化した多段式木製陳列棚の一実施の形態を図１〜図７に基づき詳細に説明する。
【００２１】
図１、図２に示されるように、本実施形態の多段式木製陳列棚１１は、店内において野菜や果物などをはじめ各種の商品を見栄え良く陳列する際に用いられる什器である。この多段式木製陳列棚１１は、複数個の木製の上置き台２１を構成要素として構成されている。上置き台２１は木製平台の上または別の上置き台２１の上に１段以上積み重ねて配置される。本実施形態では、上置き台２１を３段積み重ねて配置した構造の多段式木製陳列棚１１を例示している。なお、上置き台２１の構成部材は各種の木材を用いて形成され、本実施形態では例えばヒノキ材を使用しているが、樹種は任意であって用途等に応じて自由に変更することができる。
【００２２】
図１等に示されるように、本実施形態の上置き台２１は、基本的に木製のトレイ棚２２と、その木製のトレイ棚２２を下方から支持する木製の脚部ユニット２３とによって構成されている。
【００２３】
トレイ棚２２は、陳列すべき商品を載置するための部分であって、矩形枠状の側壁３１と底板３２とにより横長の箱型に形成されている。即ち、左右方向の寸法のほうが前後方向の寸法よりも大きくなるように形成されている。側壁３１は前側側壁板、後側側壁板、右側側壁板及び左側側壁板という４枚の木材からなり、前側側壁板の高さが他のものよりも若干低くなるように形成されている。底板３２は例えば木製合板からなり、これら４枚の側壁板の内周面側にて矩形枠状の側壁３１の開口部を塞ぐように設けられることで、そこに底部を形成している。
【００２４】
脚部ユニット２３は、上述したようにトレイ棚２２を下方から支持する脚として機能する部分であって、左右一対の枠状脚部材４１と補強材４２と丁番４３とを含んで構成されている。左右一対の枠状脚部材４１は、木製角材からなる前脚４４及び木製角材からなる後脚４５と、それらの間に介在された２本の木製の横行材４６とを連結することにより、略ロ字状に形成されている。なお、枠状脚部材４１の前後方向の寸法は、トレイ棚２２の前後方向の寸法よりも短く、例えば２／３程度の寸法となっている。
【００２５】
補強材４２は木製の横長枠状の部材であって、左右一対の枠状脚部材４１が閉じないように補強して保持するために、両端部が左右一対の枠状脚部材４１に当接する状態でそれらの間（具体的には後脚４５の間）に介在されている。補強材４２の左右両端部の上下２箇所には、丁番４３の一方側片がそれぞれ取り付けられている。枠状脚部材４１における後脚４５の内側面の上下２箇所には、丁番４３の他方側片がそれぞれ取り付けられている。その結果、これら丁番４３を介して、左右一対の枠状脚部材４１と補強材４２とが折畳可能な状態で連結されている。補強材４２の横方向の寸法は、枠状脚部材４１の高さ寸法よりもいくぶん大きく、トレイ棚２２における矩形枠状の側壁３１の幅方向の内寸よりも小さくなるように設定されている。
【００２６】
脚部ユニット２３における前脚４４の上端部には挿入孔が設けられるとともに、その挿入孔には、第１固定部材としてのナット部材５１が挿入固定されている。一方、トレイ棚２２の側壁３１（具体的には右側側壁板及び左側側壁板）においてナット部材５１に対応した位置には、ボルト孔５２が形成されている。そして、第１固定部材としてのボルト５３は、ボルト孔５２を介して挿通された後、ナット部材５１に締結される。その結果、脚部ユニット２３の上面にトレイ棚２２の底板３２の下面を載置した状態で、脚部ユニット２３の上端部とトレイ棚２２の側壁３１とが取り外し可能に固定されている。このとき、脚部ユニット２３の上端部の外側面は、トレイ棚２２の側壁３１の内周面下部にほぼ当接して配置された状態となる。
【００２７】
また、脚部ユニット２３における後脚４５の下端部背面側には、脚部ユニット側ダボ穴６１が形成されている。一方、トレイ棚２２の側壁３１において脚部ユニット側ダボ穴６１に対応した位置（具体的には後側側壁板の両端部）には、トレイ棚側ダボ穴６２が形成されている。そして、これらダボ穴６１、６２に対しては、第２固定部材としての共通のダボ６３が差し込まれている。その結果、脚部ユニット２３の下面を別の上置き台２１におけるトレイ棚２２の底板３２の上面に載置した状態で、脚部ユニット２３の下端部とトレイ棚２２の側壁３１とが取り外し可能に固定されるとともに、同時に上側に配置された上置き台２１の転倒防止対策が図られている。
【００２８】
また、トレイ棚２２の側壁３１を構成する右側側壁板及び左側側壁板の中央部には、それぞれ貫通孔６４が形成されている。そして、この貫通孔６４を介して略コ字状の抜け止め用のロック金具６５が挿入されている。ロック金具６５は、脚部ユニット２３の下側の横行材４６の上面に載るようにして係止されている。その結果、脚部ユニット２３の下端部とトレイ棚２２の側壁３１とが取り外し可能に固定されるとともに、上側の上置き台２１を持ち上げて移載するときの下側の上置き台２１の離脱が防止されている。なおこのとき、脚部ユニット２３の下端部の外側面は、トレイ棚２２の側壁３１の内周面上部にほぼ当接して配置された状態となる。
【００２９】
次に、本実施形態の多段式木製陳列棚１１の組立方法を説明する。
【００３０】
図３には、上置き台２１を出荷する際の構造が示されている。上置き台２１の完成品においてトレイ棚２２には脚部ユニット２３が取り付け固定されているが、ここではまだ両者は組み立て前の分離状態となっている。脚部ユニット２３は、トレイ棚２２から取り外されて折り畳まれている。具体的には、左右一対の枠状脚部材４１が開いておらず閉じており、補強材４２に対してこれら枠状脚部材４１が当接して全体的に平たい形状となっている。折り畳まれた脚部ユニット２３とトレイ棚２２とは積層配置され、この状態で段ボール箱などの梱包容器７１に収容されて梱包されている。本実施形態においては、トレイ棚２２の底板３２上にある収容空間内に、折り畳まれた脚部ユニット２３がちょうど入り込むことで高さが抑えられ、極めてコンパクトな形態となっている。
【００３１】
この状態で出荷された上置き台２１は、現場において梱包容器７１から取り出された後、所定の順序で組み立てられる（図４参照）。まず、１段目の上置き台２１の脚部ユニット２３の左右一対の枠状脚部材４１を開脚し、平面視でコ字状にして自立させる（図５、図６参照）。次に、図７に示されるように、この脚部ユニット２３の上面にトレイ棚２２を載置し、ボルト孔５２とナット部材５１との位置合わせを行う。次に、ボルト孔５２を介してボルト５３を挿通してナット部材５１に締結させることにより、脚部ユニット２３とトレイ棚２２とを固定し、１段目の上置き台２１を完成させる。
【００３２】
続いて、２段目の上置き台２１を構成する脚部ユニット２３の左右一対の枠状脚部材４１を開脚し、１段目の上置き台２１のトレイ棚２２の上に載せて、平面視でコ字状にして自立させる。そして、脚部ユニット側ダボ穴６１及びトレイ棚側ダボ穴６２に対して、共通のダボ６３を差し込み、脚部ユニット２３の下端部とトレイ棚２２の側壁３１とを固定する。また、側壁３１に設けられた貫通孔６４に抜け止め用のロック金具６５を挿入し、脚部ユニット２３の下側の横行材４６の上面に載るようにして係止させる。そして。この脚部ユニット２３の上面にトレイ棚２２を載置し、ボルト孔５２とナット部材５１との位置合わせを行う。次に、ボルト孔５２を介してボルト５３を挿通してナット部材５１に締結させることにより、脚部ユニット２３とトレイ棚２２とを固定し、２段目の上置き台２１を完成させる。さらにこの作業を繰り返し行い、２段目の上置き台２１の上面にて３段目の上置き台２１を完成させれば、最終的に本実施形態の多段式木製陳列棚１１を得ることができる。
【００３３】
従って、本実施形態の多段式木製陳列棚１１によれば以下の効果を得ることができる。
【００３４】
（１）本実施形態の多段式木製陳列棚１１の場合、複数個の上置き台２１を３段積み重ねて配置することができ、その積み重ねた上置き台２１同士を第２固定部材としての共通のダボ６３を用いて、取り外し可能に固定することができる。このため、上置き台２１同士の固定強度を確保しつつ段数変更にも容易に対応できるとともに、短時間で組立分解を行うことが可能となる。また、１つの上置き台２１を構成するトレイ棚２２と脚部ユニット２３とは、第１固定部材である締結部材（ナット部材５１及びボルト５３）による固定を解除することで取り外すことができる。しかも、その取り外した脚部ユニット２３は折り畳むことができる。ゆえに、取り外し及び折り畳みが不能な上置き台２１に比べて、確実にコンパクトにすることができ、その状態で運搬や片付けを行うことができ、非常に便利なものとすることができる。
【００３５】
（２）また、本実施形態の多段式木製陳列棚１１では、締結部材を用いて脚部ユニット２３の上端部とトレイ棚２２の側壁３１とを締結することにより、相互の固定を図っている。その結果、脚部ユニット２３とトレイ棚２２との固定強度に優れた上置き棚２１とすることができる。また、上下に配置された上置き台２１同士は、脚部ユニット２３の下端部とトレイ棚２２の側壁３１とをダボ６３の差し込みにより相互に固定されている。その結果、上置き台２１同士の固定強度に優れ、積み上げ配置時における転倒防止対策が施された多段式木製陳列棚１１とすることができる。しかも、第２固定部材である抜け止め用のロック金具６５により、上置き台２１同士が連結されているため、より確実に転倒防止対策が図ることができる。それに加え、上側の上置き台２１を持ち上げて移載するときの下側の上置き台２１の離脱を防止することができる。
【００３６】
（３）本実施形態の多段式木製陳列棚１１を構成する上置き台２１は、トレイ棚２２と折り畳まれて平坦になった脚部ユニット２３とを積層配置した状態で梱包される。そのため、嵩張らずコンパクトにした状態で上置き台２１を出荷することができる。よって、出荷時における搬送のためのスペースやコストを低減することができる。
【００３７】
（４）本実施形態の多段式木製陳列棚１１によると、店舗においてトレイ棚２２の段数を増減したいときであっても、段数変更を自由にかつ極めて簡単に行うことができる。また、店内でのレイアウト変更等を行うときに、多段式木製陳列棚１１をトレイ棚２２ごとに分解して移設することができる。従って、重くて大きい状態のまま移設をせざるを得ない従来製品に比べて、移設作業が各段に容易になる。しかも、多段式木製陳列棚１１を一時的に片付けておきたいときであっても、分解してコンパクトにすることができるため、大きな収納スペースが不要であるという利点がある。
【００３８】
なお、本考案の実施の形態は以下のように変更してもよい。
【００３９】
・上記実施の形態では、上下に配置した上置き台２１同士を取り外し可能に固定するための第２固定部材として、ナット部材５１とボルト５３とからなる締結部材を用いたが、これに限定されない。例えば、図８に示される別の実施形態のようにしてもよい。この実施形態では、上側に配置した上置き台２１に属する脚部ユニット２３を構成する枠状脚部材４１の前脚４４の下端面に、ダボ穴８１が形成されている。一方、下側に配置した上置き台２１については、脚部ユニット２３を構成する枠状脚部材４１の前脚４４の上端面に、ダボ穴８１に対応してダボ穴８２が形成されている。また、これら前脚４４間に位置するトレイ棚２２の底板３２にも、ダボ穴８１、８２同士を連通させる貫通孔８３が形成されている。そして、ダボ穴８１、８２及び貫通孔８３内に上下連結用のダボ８４が差し込まれることにより、上下に配置した上置き台２１同士が取り外し可能に固定されるようになっている。
【００４０】
・あるいは、図９に示される別の実施形態のようにしてもよい。ここで、上側に配置した上置き台２１に属する脚部ユニット２３を構成する枠状脚部材４１の前脚４４の下端部側面には、金属製のボール９２を突出させる方向にコイルばね９３で付勢する構造のボールロック部材９１が埋め込まれている。一方、下側に配置した上置き台２１に属するトレイ棚２２の側壁３１（右側側壁板及び左側側壁板）の内側面には、ボールロック部材９１の設置位置に対応して係止凹部９４が設けられている。そして、突出したボール９２が係止凹部９４に入り込んで係止することにより、上下に配置した上置き台２１同士が取り外し可能に固定されるようになっている。
【００４１】
・上記実施の形態では、本考案を上置き台２１を３段積み重ねて配置した構造の多段式木製陳列棚１１に具体化したが、これに限定されず２段または４段以上積み重ねて配置した構造の多段式木製陳列棚１１としても勿論よい。さらに上記実施の形態では、上置き台２１のみを複数段積み重ねて配置した構造の多段式木製陳列棚１１としたが、これに限定されない。例えば、図１０に示される別の実施形態の多段式木製陳列棚１１Ａのように、キャスターを有する木製平台９６の上に複数段の上置き台２１を積み重ねて配置しても勿論よい。
【００４２】
・上記実施の形態では、本考案を上置き台２１を３段積み重ねて配置した構造の多段式木製陳列棚１１を１連で使用するに例を示したが、これに限定されず、例えば同じ多段式木製陳列棚１１を２連、３連というように横方向に隣接して並べて使用しても勿論よい。
【００４３】
・上記実施の形態では、脚部ユニット２３の上端部とトレイ棚２２の側壁３１とを取り外し可能に固定するための第１固定部材として、ナット部材５１とボルト５３とからなる締結部材を使用したが、締結部材以外のものを使用してもよい。例えば、ダボ接続方式を採用してもよく、あるいは締結部材による接続とダボによる接続の２つを併用してもよい。
【００４４】
・上記実施の形態では、脚部ユニット２３はトレイ棚２２から分離された後に折り畳むことができる構造となっていたが、これに限定されずトレイ棚２２から分離しなくても折り畳むことができる構造であってもよい。
【００４５】
・上記実施の形態では、上置き台２１は、トレイ棚２２と折り畳まれて平坦になった脚部ユニット２３とを１枚ずつ積層配置した状態（即ち上置き台２１の１個分）で梱包した出荷時構造としたが、これに限定されない。例えば、トレイ棚２２と脚部ユニット２３とを２枚あるいは３枚ずつ積層配置した状態（即ち上置き台２１の２個分あるいは３個分）で梱包した出荷時構造としても勿論よい。
【符号の説明】
【００４６】
１１、１１Ａ…多段式木製陳列棚
２１…上置き台
２２…トレイ棚
２３…脚部ユニット
９６…木製平台
３１…側壁
３２…底板
４４…前脚
４５…後脚
４１…枠状脚部材
４２…補強材
４３…丁番
５１…第１固定部材（締結部材）としてのナット部材
５２…ボルト孔
５３…第１固定部材（締結部材）としてのボルト
６１…脚部ユニット側ダボ穴
６２…トレイ棚側ダボ穴
６３…第２固定部材としてのダボ
【図１】
0003235602.tif 000003
【図２】
0003235602.tif 000004
【図３】
0003235602.tif 000005
【図４】
0003235602.tif 000006
【図５】
0003235602.tif 000007
【図６】
0003235602.tif 000008
【図７】
0003235602.tif 000009
【図８】
0003235602.tif 000010
【図９】
0003235602.tif 000011
【図１０】
0003235602.tif 000012